(57)【要約】【課題】（ａ）  塵や埃の多い場所でも密閉構造を必要としない機構とし、（ｂ）  接触抵抗が大きくても機能し、（ｃ）  インターフェース回路を必要としない、（ｄ）  大変安価な、パチンコ台のハンドル用開閉スイッチを提供する。【解決手段】ハンドルに設けられたタッチスイッチ用タッチ電極１１とタッチ検出回路１２との間に、回転検出スイッチの一対の接片Ａ１，Ａ２と、停止スイッチの一対の接片Ｂ１，Ｂ２とを設けた。接片Ａ１，Ａ２と接片Ｂ１，Ｂ２はそれぞれ面接触するものである。接片Ａ１，Ａ２は回転ハンドルを回転させないときは離れており、接片Ｂ１，Ｂ２は停止ボタンを押さないときは接触している。回転ハンドルを回転させると接片Ａ１，Ａ２が接触し、停止ボタンを押すと接片Ｂ１，Ｂ２が離れる。【選択図】      図１
2005027787.tif 000002
【特許請求の範囲】
【請求項１】
ハンドルを回転させパチンコ玉の飛距離を調整するパチンコ台のハンドルにおいて、
ハンドルに設けられたタッチスイッチ用タッチ電極と、このタッチ電極にタッチされたことを検出する検出回路との間に、少なくとも１個の開閉スイッチを設け、この開閉スイッチによりタッチ電極と検出回路との間の回路を開閉するようにしたことを特徴とするパチンコ台のハンドル用開閉スイッチ。
【請求項２】
前記開閉スイッチの電気的開閉部は、面接触するものであることを特徴とする請求項１記載のパチンコ台のハンドル用開閉スイッチ。
【請求項３】
前記開閉スイッチの電気的開閉部は、導電性プラスチックで構成されていることを特徴とする請求項１又は請求項２記載のパチンコ台のハンドル用開閉スイッチ。
【請求項４】
前記開閉スイッチの電気的開閉部は、導電性ゴムで構成されていることを特徴とする請求項１又は請求項２記載のパチンコ台のハンドル用開閉スイッチ。
【請求項５】
前記タッチスイッチは静電容量式タッチスイッチであることを特徴とする請求項１、請求項２、請求項３又は請求項４記載のパチンコ台のハンドル用開閉スイッチ。
【発明の詳細な説明】
【０００１】
【発明の属する技術分野】
この発明は、パチンコ台が遊戯に使用される時のハンドル回転検出と遊戯中のパチンコ玉発射の一時停止を行うパチンコ台のハンドル用開閉スイッチに関する。
【０００２】
【従来の技術】
パチンコ台の遊戯使用に関しては、
（１）  人がハンドルを触っていない時は玉の発射を行わない。
【０００３】
（２）  ハンドルを回転させない時は玉の発射を行わない。
【０００４】
（３）  遊戯中任意の時に玉の発射を停止できる。
という規制が公的機関においてなされ、その順守が検定における認可の条件となっている。
【０００５】
パチンコ台は、金属やプラスチックで構成される複雑な長い通路を玉が移動するため、大変大きな静電気を帯びる。また、遊戯する人は、特に寒く湿気の少ない冬に毛織物や化繊の服を着用すると、数万ボルトの強力な静電気を帯びる。
【０００６】
そのような環境で使用されるハンドル回転検出スイッチや一時発射停止スイッチは、静電気が周囲から集める塵や埃による接触不良を避けるため、完全な密閉構造のものが使用される。
【０００７】
しかも、それらのスイッチは、主にＣＭＯＳ−ＩＣ回路で構成される制御回路に直接入力し、微少電流のドライサーキットを信頼性高く開閉する必要があるため、金メッキを施したクロスバー接点の非常に高価なマイクロスイッチが使われている。
【０００８】
また、それらのスイッチは、制御回路に直接入力するため、そのインターフェース回路を必要とするとともに、タッチスイッチの信号との論理回路を構成する必要があるため、これらの点でもコストが大変掛かるものとなっている。
【０００９】
そのようなパチンコ台において、例えば停止スイッチ及びタッチ検出回路からの信号が発射可能条件を満足した瞬間から、発射駆動源に出力信号を送るまでの遅延時間をランダムに選択できる遅延時間選択回路を、発射駆動源の出力制御回路に組み込んだ発射制御装置があるが（例えば、特許文献１参照）、図８に、タッチ電極やタッチ検出回路を含む従来回路の一例のブロック図を示す。
【００１０】
図８のブロック図において、人がタッチスイッチ（タッチ電極１１）にタッチすると、タッチ検出回路１２からタッチ信号が出力される。また、ハンドルを回転させて玉の飛距離を調整しようとすると、回転検出スイッチ６１が動作し、インターフェース回路６３で電気的信号に替えられ、この電気的信号が先のタッチ信号と共に論理積回路ＡＮＤ１（６４）で論理処理される。そして、その信号が更に玉発射信号回路１５からの発射信号と共に論理積回路ＡＮＤ２（１３）で論理処理され、玉発射駆動回路１４に入力され、玉の発射機構１６が作動して、玉が１分間に１００個正確に発射される。
【００１１】
この発射遊戯中に停止スイッチ６２を押すと、回転検出スイッチ６１が作動しているにもかかわらず、停止スイッチ６２が作動するため、論理積回路ＡＮＤ１で論理が成立しなくなり、玉発射駆動回路１４は作動せず、発射機構１６からの玉の発射が停止する。
【００１２】
次に、回転検出スイッチと停止スイッチを１個のスイッチで共用し、前記と同様の働きをするハンドルの構造の分解斜視図を図１０に示し、そのブロック図を図９に示す。但し、図１０に示すハンドルの構造は、出願人の先願に係る特願２００３−１５６１５４に記載のものと同様である。
【００１３】
図１０において、ハンドル部１０にタッチすると、回転ハンドル４２（タッチ電極１１）に接続された静電容量式センサＴＳ１（タッチ検出回路１２）が動作し、タッチ信号を出力する。この時、回転ハンドル４２が回転していない場合、ノーマルクローズ接点が使われている回転検出スイッチ（マイクロスイッチ）Ｓ１は、回転ハンドル４２の内側の凸部が当該回転検出スイッチＳ１のアクチュエータを押さえているためＯＦＦ状態となっており、図９の論理積回路ＡＮＤ１は論理が成立しないため、玉の発射は行われない。
【００１４】
回転ハンドル４２を回転させると、その内側の凸部が回転検出スイッチＳ１のアクチュエータから外れ、回転検出スイッチＳ１の接点はＯＮし、論理積回路ＡＮＤ１の論理が成立し、玉の発射が行われる。この玉の発射中に停止ボタン４５を押すと、回転検出スイッチＳ１のアクチュエータが押され、回転検出スイッチＳ１の接点はＯＦＦになり、玉の発射は停止する。
【００１５】
【特許文献１】
特開平９−７５５１３号公報
【００１６】
【発明が解決しようとする課題】
前記したように従来の技術においては、
（１）  遊技機（パチンコ台）そのものが大きな静電気を発生したり、また使用する人も静電気を発生させることと、人の出入りが激しいため使用環境の塵、埃の多い状況で、静電気がそれらの塵埃をハンドル部に吸着させるので、スイッチ部は密閉構造でなければならないため、高価なマイクロスイッチを必要としている。
（２）  そのようなスイッチは主にＣＭＯＳ−ＩＣ回路で構成される制御回路の開閉に使われるため、微少電流、いわゆるドライサーキット開閉に適し、また接点接触抵抗も極めて小さいとても高価な金クラッドや金メッキ接点を有するものでなければならない。
（３）  スイッチ信号が入力される制御部にインターフェース回路を必要とするため、大幅なコストアップになる
等の問題点がある。
【００１７】
この発明は、そのような問題点  （１）〜（３）  に着目してなされたもので、（ａ）  塵や埃の多い場所でも密閉構造を必要としない機構とし、（ｂ）  接触抵抗が大きくても機能し、（ｃ）  インターフェース回路を必要としない、（ｄ）  大変安価な、パチンコ台のハンドル用開閉スイッチを提供することを目的としている。
【００１８】
【課題を解決するための手段】
本発明の基本的な着目点は、
イ）人体は高インピーダンスの検出体であり、その検出体を検出すること
ロ）高周波を使って検出すること
である。それは、ポリウレタン等の靴を履いた人や、プラスチックの椅子に着席した人など、完全に直流的には絶縁された人の検出が行われるからである。
【００１９】
それに則して前記目的を達成するために、本発明のパチンコ台のハンドル用開閉スイッチは、ハンドルを回転させパチンコ玉の飛距離を調整するパチンコ台のハンドルにおいて、ハンドルに設けられたタッチスイッチ用タッチ電極と、このタッチ電極にタッチされたことを検出する検出回路との間に、少なくとも１個の開閉スイッチを設け、この開閉スイッチによりタッチ電極と検出回路との間の回路を開閉するようにしたことを特徴とする。
【００２０】
この開閉スイッチでは、タッチ電極とその検出回路との間に設けた開閉スイッチにより、タッチ電極と検出回路との間の回路を開閉するようにしたので、上記目的  （ａ）〜（ｄ）  を達成できる。すなわち、塵埃により開閉動作が影響されることが皆無に近く、接触抵抗が大きくても機能し、インターフェース回路を必要とせず、非常に安価なハンドル用開閉スイッチを提供できる。
【００２１】
本発明の開閉スイッチにおいて、その電気的開閉部は点接触でもよいが、面接触とするのが好ましい。これは、面接触の方がより塵埃の影響を受け難くなり、開閉動作が安定するからである。
【００２２】
また、開閉スイッチの電気的開閉部は、導電性プラスチックや導電性ゴムで構成するのが好ましい。更に、タッチスイッチは静電容量式タッチスイッチであるのが好ましい。
【００２３】
【発明の実施の形態】
以下、実施の形態により、この発明を更に詳細に説明する。
【００２４】
その一実施形態に係るパチンコ台のハンドル用開閉スイッチにおいて、タッチ電極とタッチ検出回路との間に回転検出スイッチ及び停止スイッチを設けた場合のブロック図を図１に示す。但し、図８のブロック図と同じ要素には同一符号を付してある。
【００２５】
図１のブロック図では、タッチ電極１１とタッチ検出回路１２との間に、回転検出スイッチの一対の接片Ａ１，Ａ２と停止スイッチの一対の接片Ｂ１，Ｂ２が設けられている。接片Ａ１，Ａ２及び接片Ｂ１，Ｂ２は、それぞれ図４の（ａ）、（ｂ）に示すように四角形状の広い面積を持ち、面接触するようになっている。
【００２６】
接片Ａ１，Ａ２は、ハンドル部１０の回転ハンドル４２（図１０）を回転させないときは、一定の距離を置いて離れて相対しているが、回転ハンドル４２を回転させると、接片Ａ１が接片Ａ２に接近し、互いに一定の圧力で接触するような構造となっている。この構造については後述する。
【００２７】
また、接片Ｂ１，Ｂ２は、停止ボタン４５を押さないときは、互いに一定の圧力で接触しているが、停止ボタン４５を押すと、接片Ｂ２が接片Ｂ１から離れ、開放状態となる構造となっている。この構造についても後述する。
【００２８】
従って、回転ハンドル４２を回転させない時は、タッチ電極１１は回転検出スイッチの接片Ａ１，Ａ２でタッチ検出回路１２に接続されず、タッチ検出回路１２は動作しない。
【００２９】
回転ハンドル４２を回転させると、接片Ａ１，Ａ２は接触するため、タッチ電極１１はタッチ検出回路１２に接続され、タッチ検出回路１２は人のタッチを検出してタッチ信号を出力する。このタッチ信号と玉発射信号回路１５からの玉発射信号が論理積回路ＡＮＤ２（１３）で論理処理される。この場合は、論理が成立するので、玉発射駆動回路１４が働き、発射機構１６が作動し、玉の発射が行われる。
【００３０】
玉発射中に停止ボタン４５を押すと、停止スイッチの接片Ｂ１，Ｂ２が離れ、タッチ電極１１はタッチ検出回路１２から開放されるので、タッチ検出回路１２はタッチ信号を出力しなくなる。このため、論理積回路ＡＮＤ２の論理が成立せず、発射機構１６による玉の発射は停止する。
【００３１】
別実施形態に係るパチンコ台のハンドル用開閉スイッチにおいて、タッチ電極とタッチ検出回路との間に回転検出スイッチと停止スイッチを共用するスイッチを設けた場合のブロック図を図２に示す。
【００３２】
図２のブロック図では、タッチ電極１１とタッチ検出回路１２との間に、回転検出スイッチと停止スイッチを共用するスイッチの一対の接片Ｃ１，Ｃ２が設けられている。図面には示していないが、接片Ｃ１，Ｃ２も、接片Ａ１，Ａ２及び接片Ｂ１，Ｂ２と同様に四角形状の広い面積を持ち、面接触するようになっている。
【００３３】
接片Ｃ１，Ｃ２は、回転ハンドル４２を回転させて停止ボタン４５を押さない時のみ接触し、このときにタッチ電極１１がタッチ検出回路１２に接続され、回転ハンドル４２を回転させない時や停止ボタン４５を押した時は、開放状態となり、タッチ電極１１がタッチ検出回路１２に接続されない構造となっている。この作用は前記と全く同様であるが、この構造については後述する。
【００３４】
図１と図２のブロック図におけるタッチ検出回路１２は、例えば図３のブロック図で示すような構成である。このタッチ検出回路１２は、静電容量式センサ（静電容量式検出回路）であり、サージ保護回路２１、発振回路２２、検波平滑回路２３、スイッチング回路２４、出力回路２５、定電圧回路２６、０ＶＧＮＤ端子２７、ＯＵＴ端子（出力端子）２８、Ｖｃｃ端子（＋電源端子）２９を備えている。
【００３５】
図３において、タッチ検出回路１２の動作弁別点は、一般的におよそ３０ＰＦ程度に設定されている。人がハンドル部１０に設けられた回転ハンドル４２（タッチ電極１１）に触ると、静電容量が発生する。この発生した静電容量は高周波発振回路２２の選択度Ｑを低下させるよう作用するため、発振回路２２の選択度Ｑの低下とともに発振ゲインは徐々に低下する。
【００３６】
この発振回路２２の発振ゲインは、検波平滑回路２３の検波回路で検波され、平滑回路で直流電圧に変換されるので、およそ３０ＰＦ入力されると、検波平滑回路２３の電圧はスイッチング回路２４のレベル弁別値以下となり、これによりタッチ検出回路１２はタッチ検出信号を出力する。
【００３７】
一般的に正常な大人が椅子に腰掛けてハンドル部１０の回転ハンドル４２（タッチ電極１１）に触ると、１００ＰＦ相当以上の静電容量が発生するため、十分な動作入力となる。
【００３８】
ここで、前記接片Ａ１，Ａ２、Ｂ１，Ｂ２、Ｃ１，Ｃ２のサイズを例えば５×５ｍｍとしたとき、接片Ａ１，Ａ２、Ｂ１，Ｂ２或いはＣ１，Ｃ２の間隔を１ｍｍ離すと、接触抵抗は勿論無限大となり絶縁される。それら接片間の結合容量ＣＯＦＦ  は、ＣＯＦＦ  ≒１ＰＦ程度となる。
【００３９】
従って、人体がタッチしたときの容量ＣＭ  は、ＣＭ  ≒１００ＰＦとすると、ＣＭ  とＣＯＦＦ  はシリーズとなるため、タッチ検出回路１２にタッチ入力として入力されるＣＤ  は、
ＣＤ  ＝１／｛（１／ＣＯＦＦ  ）＋（１／ＣＭ  ）｝
となるため、ＣＤ  ≒１ＰＦとなり、タッチ検出はできない。
【００４０】
次に、それぞれの接片Ａ１，Ａ２、Ｂ１，Ｂ２、Ｃ１，Ｃ２が一定の圧力で接触したが、間に塵埃が入り、接片間隔が仮に２μｍ離れていた場合、勿論、抵抗値は無限大であるが、（接片間の圧力にもよるが）その時の接片間の容量ＣＯＮは、ＣＯＮ≒１００ＰＦ程度の容量を発生する。
【００４１】
従って、この時のＣＤ  は、
ＣＤ  ＝１／｛（１／ＣＯＮ）＋（１／ＣＭ  ）｝
となるから、ＣＤ  ≒５０ＰＦとなる。
【００４２】
タッチ検出回路１２のタッチ検出レベル弁別が３０ＰＦに設定されているとすると、十分大きなタッチ容量が入力されるため、直流的には導通接触をしなくても、その機能を果たすことができる。
【００４３】
仮に図１において、接片Ａ１，Ａ２と接片Ｂ１，Ｂ２が共に導通接触した場合、ＣＤ  は、
2005027787.tif 000003
となるため、タッチ検出回路１２のレベル弁別値を２０ＰＦ程度にしておけば、十分な信頼性を持って機能させることができる。
【００４４】
このように、接片Ａ１，Ａ２、Ｂ１，Ｂ２、Ｃ１，Ｃ２が導通接触したときは勿論であるが、直流的に接触不良を起こしても、信頼性良く機能させることができる。
【００４５】
また、この接片Ａ１，Ａ２、Ｂ１，Ｂ２、Ｃ１，Ｃ２においては、前記のように接片の接触抵抗が全く問題とならないため、カーボンフィラー入りの導電性プラスチックや導電性ゴム等で構成することも可能である。
【００４６】
また、そうすることで、金属等を使用した場合にサビを防止するためのメッキ等も不要になり、コストを大幅に低下させることができるとともに、環境にも優しくなる。
【００４７】
更に、タッチ電極１１とタッチ検出回路１２との間で回転検出と停止の制御をするため、図８及び図９にあるスイッチ用のインターフェース回路６３も不要となるため、より以上のコストの低下を計ることができる。
【００４８】
次に、図１のブロック図における接片Ａ１，Ａ２を組み込んだ回転検出スイッチ（開閉スイッチ）の具体的な構造例を図５（要部断面図）に示す。この回転検出スイッチ１では、ケース７０にカバー７１が着脱自在に取付けられ、ケース７０内に２つの端子７２，７３が設けられている。端子７２の内端部からは適度の弾性を持つリードフレーム８１が延び、リードフレーム８１の先端部（自由端部）に接片Ａ１が設けられている。端子７２、リードフレーム８１及び接片Ａ１は一体成形されたものである〔図４の（ａ）〕。同様に、端子７３の内端部からは適度の弾性を持つリードフレーム８２が延び、リードフレーム８２の先端部（自由端部）に接片Ａ２が設けられている。端子７３、リードフレーム８２及び接片Ａ２も一体成形されたものである。接片Ａ１，Ａ２は平常は一定距離を置いて離れて相対している。
【００４９】
カバー７１には、ハンドル部１０の回転ハンドル４２に連動する押しボタン７５が出入可能に挿通されており、押しボタン７５の内端部には操作ブロック７６が一体に取付けられ、操作ブロック７６がリードフレーム８１に軽く当接している。
【００５０】
この回転検出スイッチ１では、回転ハンドル４２を回転させないときは、図５のように、リードフレーム８１の弾性により接片Ａ１は図の上方向に位置し、接片Ａ１，Ａ２は離れている。回転ハンドル４２を回転させると、その回転により押しボタン７５がケース７０内に押し込まれ、それにより操作ブロック７６がリードフレーム８１を押し、リードフレーム８１が下方向に変位し、接片Ａ１が接片Ａ２に接触する。
【００５１】
図１のブロック図における接片Ｂ１，Ｂ２を組み込んだ停止スイッチ（開閉スイッチ）の具体的な構造例を図６（要部断面図）に示す。この停止スイッチ２は、基本的に図５の回転検出スイッチ１と同じ構造であるが、リードフレーム８１の自由端部に接片Ｂ２が設けられ、リードフレーム８２の自由端部に接片Ｂ１が設けられている〔図４の（ｂ）〕。接片Ｂ１，Ｂ２は平常は互いに接触している。なお、押しボタン７５は停止ボタン４５に連動するか、又は押しボタン７５を停止ボタンとしてもよい。
【００５２】
停止ボタン４５を押さないときは、図６のように、接片Ｂ１，Ｂ２は接触している。停止ボタン４５を押すと、押しボタン７５がケース７０内に押し込まれ、それにより操作ブロック７６がリードフレーム８１を押し、リードフレーム８１が下方向に変位し、接片Ｂ２が接片Ｂ１から離れる。
【００５３】
図２のブロック図における接片Ｃ１，Ｃ２を組み込んだ回転検出スイッチと停止スイッチを共用する開閉スイッチの具体的な構造例を図７（要部断面図）に示す。この開閉スイッチ３は、図６の構造に付加して、カバー７１には、回転ハンドル４２に連動する別の押しボタン９１が出入可能に挿通されている。この押しボタン９１にはコイルバネ９２が巻回され、コイルバネ９２は常時は押しボタン９１をカバー７１から出す方向に付勢する。押しボタン９１の内端部には、軸９５により回転可能に支持されたリンク９３の一端部が連結され、リンク９３の他端部には操作棒９４が連結されている。操作棒９４はリードフレーム８１に軽く当接している。
【００５４】
この開閉スイッチ３では、回転ハンドル４２を回転させないとともに、停止ボタン４５を押さないときは、押しボタン９１がコイルバネ９２の付勢力により上方向に移動するので、操作棒９４が下方に移動してリードフレーム８１を押し、接片Ｃ２が下方向に変位し、接片Ｃ１，Ｃ２は離れている。
【００５５】
回転ハンドル４２を回転させると、押しボタン９１が下方向に移動し、操作棒９４が上方に移動するので、接片Ｃ２がリードフレーム８１の弾性により上方向に変位し、接片Ｃ１，Ｃ２は接触する（図７の状態）。
【００５６】
図７の状態（回転ハンドル４２を回転させている状態）で、停止ボタン４５を押すと、操作ブロック７６によりリードフレーム８１が押され、接片Ｃ２が下方向に変位し、接片Ｃ１，Ｃ２は離れる。このとき、押しボタン９１の位置が保持され、操作棒９４は移動しないのでリードフレーム８１から離れた状態になる。
【００５７】
図５〜図７に示す開閉スイッチ１〜３は、図１０に示すハンドル部１０に組み込まれる。ここで、ハンドル部１０について概説すると、ハンドル部１０は、ハンドルベース４１、回転ハンドル４２、カバー４３からなり、ハンドルベース４１内に、回転検出スイッチＳ１、飛距離調整ボリュームＶＲ１、静電容量式センサＴＳ１（タッチ検出回路１２）が設けられている。また、停止ボタン４５がハンドルベース４１から突出する様態で設けられている。
【００５８】
静電容量式センサＴＳ１の大地ＧＮＤ端子に接続される大地ＧＮＤライン２２ｂと、回転検出スイッチＳ１のリード線、飛距離調整ボリュームＶＲ１のリード線、及び静電容量式センサＴＳ１の０ＶＧＮＤ端子２７に接続されるライン２２ａと、＋Ｖｃｃ、ＯＵＴ信号の各線とが束ねられた結束線４４が、ハンドルベース４１の筒部４１ａ内に挿通されて導出される。そして、大地ＧＮＤライン２２ｂがパチンコ台のフレーム５０に接続される一方、大地ＧＮＤライン２２ｂを除く結束線４４が制御基板ＰＣＢ１にコネクタＣＮ１により接続される。
【００５９】
【発明の効果】
以上説明したように、本発明によれば、次の効果が得られる。
（１）完全密閉で金メッキを施した大変高価なマイクロスイッチを必要としないため、大幅なコストダウンが計れる。
（２）接触抵抗が極めて大きくても、また接触不良を起こしても、動作に何ら影響を与えない信頼性の高い商品を提供できる。
（３）塵埃の影響を受け難いため、開閉スイッチの接片部を組立費用が高くつく密閉構造にする必要がない。
（４）スイッチ用のインターフェース回路を無くすことができるため、大幅なコストダウンが計れる。
【図面の簡単な説明】
【図１】一実施形態に係るパチンコ台のハンドル用開閉スイッチにおいて、タッチ電極とタッチ検出回路との間に回転検出スイッチ及び停止スイッチを設けた場合のブロック図である。
【図２】別実施形態に係るパチンコ台のハンドル用開閉スイッチにおいて、タッチ電極とタッチ検出回路との間に回転検出スイッチと停止スイッチを共用するスイッチを設けた場合のブロック図である。
【図３】図１及び図２のブロック図におけるタッチ検出回路の一例を示すブロック図である。
【図４】図１のブロック図における回転検出スイッチの接片の拡大斜視図（ａ）、及び停止スイッチの接片の拡大斜視図（ｂ）である。
【図５】図１のブロック図における接片Ａ１，Ａ２を組み込んだ回転検出スイッチ（開閉スイッチ）の具体的な構造例を示す要部断面図である。
【図６】図１のブロック図における接片Ｂ１，Ｂ２を組み込んだ停止スイッチ（開閉スイッチ）の具体的な構造例を示す要部断面図である。
【図７】図２のブロック図における接片Ｃ１，Ｃ２を組み込んだ回転検出スイッチと停止スイッチを共用する開閉スイッチの具体的な構造例を示す要部断面図である。
【図８】タッチ電極やタッチ検出回路を含む従来回路の一例のブロック図である。
【図９】タッチ電極やタッチ検出回路を含む従来回路の別例のブロック図である。
【図１０】パチンコ台に設けられるハンドル部の分解斜視図と、各リード線の接続を示す図である。
【符号の説明】
１〜３        開閉スイッチ
１０          ハンドル部
１１          タッチ電極
１２          タッチ検出回路
Ａ１，Ａ２    接片
Ｂ１，Ｂ２    接片
Ｃ１，Ｃ２    接片
４２          回転ハンドル
７２，７３    端子
７５，９１    押しボタン
８１，８２    リードフレーム
【図１】
2005027787.tif 000004
【図２】
2005027787.tif 000005
【図３】
2005027787.tif 000006
【図４】
2005027787.tif 000007
【図５】
2005027787.tif 000008
【図６】
2005027787.tif 000009
【図７】
2005027787.tif 000010
【図８】
2005027787.tif 000011
【図９】
2005027787.tif 000012
【図１０】
2005027787.tif 000013